(57)【要約】【課題】プレミア贈呈においてイベント主催者とプレミア提供者、プレミア獲得ユーザとプレミア受取ユーザの間に独立性を持たせることができ、イベントの提供者、参加者双方において使い勝手が良いプレミア贈呈方法を提供する。【解決手段】イベント主催者サーバ２がプレミア獲得ユーザ端末４へプレミア引換サイトのＵＲＬを通知する。その通知を受けたプレミア獲得ユーザ端末４がそのＵＲＬによってイベント主催者サーバ２のプレミア引換サイトへアクセスして認証情報を含むコンテンツを受領する。プレミア獲得ユーザからコンテンツを受けたプレミア受取ユーザが、プレミア受取ユーザ端末５からプレミア提供者サーバ３へコンテンツを送信する。プレミア提供者サーバ３がコンテンツに含まれる認証情報によってプレミア受取ユーザの適格性を認証し、その認証結果に基づいてプレミア受取ユーザへプレミアを贈呈するための処理を行う。【選択図】    図１
2004178279.tif 000002
【特許請求の範囲】
【請求項１】
イベント主催者のサーバ、プレミア提供者のサーバ、プレミア獲得者の端末、プレミア受取者の端末を各々インターネットを介して接続してなるシステムにおいて、
前記イベント主催者のサーバが前記プレミア獲得者の端末へプレミア引換サイトのＵＲＬを通知し、
その通知を受けた前記プレミア獲得者の端末が前記ＵＲＬによって前記プレミア引換サイトへアクセスして認証情報を含むコンテンツを受領し、
前記プレミア獲得者から前記コンテンツを受けた前記プレミア受取者が、プレミア受取者の端末から前記プレミア提供者サーバへ前記コンテンツを送信し、
前記プレミア提供者サーバが前記コンテンツに含まれる認証情報によって前記プレミア受取者の適格性を認証し、その認証結果に基づいて前記プレミア受取者へプレミアを贈呈するための処理を行う
ことを特徴とするプレミア贈呈方法。
【請求項２】
イベント主催者のサーバ、プレミア提供者のサーバ、プレミア獲得者の端末、プレミア受取者の端末を各々インターネットを介して接続してなるシステムにおいて、
前記イベント主催者のサーバが前記プレミア獲得者の端末へプレミア引換サイトのＵＲＬを通知し、
その通知を受けた前記プレミア獲得者の端末が前記ＵＲＬによって前記プレミア引換サイトへアクセスし、
前記プレミア引換サイトが前記プレミア獲得者の端末へ認証情報を要求し、
前記プレミア獲得者の端末が、予めイベント主催者のサーバから受けていた第１の認証情報を前記プレミア引換サイトへ送信し、
前記プレミア引換サイトが前記第１の認証情報に基づいて前記プレミア獲得者を認証し、良であった場合に第２の認証情報を含むコンテンツを前記プレミア獲得者の端末へ送信し、
前記プレミア獲得者が前記コンテンツを受領し、
前記プレミア獲得者から前記コンテンツを受けた前記プレミア受取者が、プレミア受取者の端末から前記プレミア提供者サーバへ前記コンテンツを送信し、
前記プレミア提供者サーバが前記コンテンツに含まれる前記第２の認証情報によって前記プレミア受取者の適格性を認証し、その認証結果に基づいて前記プレミア受取者へプレミアを贈呈するための処理を行う
ことを特徴とするプレミア贈呈方法。
【請求項３】
前記プレミア提供者は、前記プレミア受取者の認証に当たって、データベースに記録されている過去の受信記録を参照し、前記データベースに前記第２の認証情報が登録されていない場合に前記プレミア受取者を適格と認証すると共に、前記第２の認証情報を前記データベースに登録することを特徴とする請求項１または請求項２に記載のプレミア贈呈方法。
【請求項４】
前記第２の認証情報は電子透かしによって前記コンテンツに埋め込まれていることを特徴とする請求項１〜請求項３のいずれかの項に記載のプレミア贈呈方法。
【発明の詳細な説明】
【０００１】
【発明の属する技術分野】
この発明は、インターネット上で行われるイベントやゲームのプレミア（賞金、賞品）を獲得する権利を、権利を有するユーザにディジタルコンテンツの形で配布し、ユーザがそのコンテンツをプレミア提供者（スポンサー等）に送信することにより実際の賞品と交換するプレミア贈呈方法に関する。
【０００２】
【従来の技術】
従来、インターネット上のプレミア贈呈では、プレミア獲得ユーザの送付先情報等はイベントを主催する者しか知りえないため、イベントを主催する者がプレミアについても用意するか、もしくは、プレミアを提供する者にプレミア送付先等の情報を通知する必要があった。また、プレミアを獲得したユーザについても、例えば獲得したプレミアの送付先を知人等に変更したい場合、イベントを主催する者に連絡することしか方法がなかった。つまり、イベント主催者とプレミア提供者、プレミア獲得ユーザとプレミア受取ユーザはそれぞれ容易に分けることはできず、イベント提供者（イベント主催者、プレミア提供者）、イベント参加ユーザ（プレミア獲得ユーザ、プレミア受取ユーザ）の各々でかならずしも使い勝手が良いとはいえなかった。
【０００３】
なお、従来のインターネット上の応募等に対し特典を与える方法として特許文献１に記載される方法が知られている。この方法は、インターネットサイトのホームページを運営するサイト運営者の委託によって、一般消費者に対する質問、アンケート等の掲載されたホームページを、そのサイト運営者の運営するインターネットサイトのホームページにリンクさせて開設し、一般消費者が、管理者のホームページの質問等に回答した場合に、その一般消費者に対してプレゼント発送等の特典を与えるというものである。
【０００４】
【特許文献１】
特開２００１−２２９２７９号公報  段落［０００８］、［００２１］
【０００５】
【発明が解決しようとする課題】
この発明は、上述した事情を考慮してなされたもので、その目的は、プレミア獲得権をディジタルコンテンツとしてネットワーク上で流通させることにより、プレミア贈呈においてイベント主催者とプレミア提供者、プレミア獲得ユーザとプレミア受取ユーザの間に独立性を持たせることができ、イベントの提供者、参加者双方において使い勝手が良いプレミア贈呈方法を提供することにある。
【０００６】
【課題を解決するための手段】
この発明は上記の課題を解決するためになされたもので、請求項１に記載の発明は、イベント主催者のサーバ、プレミア提供者のサーバ、プレミア獲得者の端末、プレミア受取者の端末を各々インターネットを介して接続してなるシステムにおいて、前記イベント主催者のサーバが前記プレミア獲得者の端末へプレミア引換サイトのＵＲＬを通知し、その通知を受けた前記プレミア獲得者の端末が前記ＵＲＬによって前記プレミア引換サイトへアクセスして認証情報を含むコンテンツを受領し、前記プレミア獲得者から前記コンテンツを受けた前記プレミア受取者が、プレミア受取者の端末から前記プレミア提供者サーバへ前記コンテンツを送信し、前記プレミア提供者サーバが前記コンテンツに含まれる認証情報によって前記プレミア受取者の適格性を認証し、その認証結果に基づいて前記プレミア受取者へプレミアを贈呈するための処理を行うことを特徴とするプレミア贈呈方法である。
【０００７】
請求項２に記載の発明は、イベント主催者のサーバ、プレミア提供者のサーバ、プレミア獲得者の端末、プレミア受取者の端末を各々インターネットを介して接続してなるシステムにおいて、前記イベント主催者のサーバが前記プレミア獲得者の端末へプレミア引換サイトのＵＲＬを通知し、その通知を受けた前記プレミア獲得者の端末が前記ＵＲＬによって前記プレミア引換サイトへアクセスし、前記プレミア引換サイトが前記プレミア獲得者の端末へ認証情報を要求し、前記プレミア獲得者の端末が、予めイベント主催者のサーバから受けていた第１の認証情報を前記プレミア引換サイトへ送信し、前記プレミア引換サイトが前記第１の認証情報に基づいて前記プレミア獲得者を認証し、良であった場合に第２の認証情報を含むコンテンツを前記プレミア獲得者の端末へ送信し、前記プレミア獲得者が前記コンテンツを受領し、前記プレミア獲得者から前記コンテンツを受けた前記プレミア受取者が、プレミア受取者の端末から前記プレミア提供者サーバへ前記コンテンツを送信し、前記プレミア提供者サーバが前記コンテンツに含まれる前記第２の認証情報によって前記プレミア受取者の適格性を認証し、その認証結果に基づいて前記プレミア受取者へプレミアを贈呈するための処理を行うことを特徴とするプレミア贈呈方法である。
【０００８】
請求項３に記載の発明は、請求項１または請求項２に記載のプレミア贈呈方法において、前記プレミア提供者は、前記プレミア受取者の認証に当たって、データベースに記録されている過去の受信記録を参照し、前記データベースに前記第２の認証情報が登録されていない場合に前記プレミア受取者を適格と認証すると共に、前記第２の認証情報を前記データベースに登録することを特徴とする。
【０００９】
請求項４に記載の発明は、請求項１〜請求項３のいずれかの項に記載のプレミア贈呈方法において、前記第２の認証情報は電子透かしによって前記コンテンツに埋め込まれていることを特徴とする。
【００１０】
【発明の実施の形態】
以下、図面を参照し、この発明の一実施の形態について説明する。図２は同実施の形態によるプレミア贈呈方法が適用されるネットワーク構成を示す図であって、１はインターネット等のネットワーク、２はイベント主催者サーバ、３はプレミア提供者サーバであり、このプレミア提供者サーバ３には受信時刻記録データベース３ａが設けられている。４はプレミア獲得ユーザ端末、５はプレミア受取ユーザ端末である。
図３はネットワーク１上におけるプレミア獲得権コンテンツの流通、プレミアの流通の概念を示したものである。図１はイベント開催からプレミア送付までの処理を時系列的に示したものである。
【００１１】
このプレミア贈呈方法を実行する場合、最初に、イベント参加者がイベント主催者に参加申込みをし、イベント主催者がその参加者に認証情報（ＩＤおよびパスワード）を発行する。次に、図１に示すように、イベント主催者サーバ２上で、ゲーム等によってプレミアを獲得した事象をトリガとして（ステップＳ１）、イベント主催者サーバ２からプレミア獲得ユーザ端末４に、イベント主催者サーバ２上のコンテンツ送信サイトのＵＲＬ（Ｕｎｉｆｏｒｍ  Ｒｅｓｏｕｒｃｅ  Ｌｏｃａｔｏｒ）を通知する（ステップＳ２）。プレミア獲得ユーザ端末４が通知されたサイトにアクセスすると（ステップＳ３）、ＳＳＬ（Ｓｅｃｕｒｅ  Ｓｏｃｋｅｔ  Ｌａｙｅｒ）等の暗号化通信状熊になり、当該サイトが認証情報入力を要求する（ステップＳ４）。認証情報はイベント参加時にユーザに割り当てられ、イベント主催者サーバ２上で保持されている。プレミア獲得ユーザ端末４から入力された認証情報（ステップＳ５）は、イベント主催者サーバ２が保持している認証情報と比較され、両者が合致すると、プレミア獲得ユーザとして認定される（ステップＳ６）。
【００１２】
この認定が行われると、次に、イベント主催者サーバ２からプレミア獲得ユーザ端末４にプレミア獲得権コンテンツが送信される（ステップＳ７）。この際、プレミア獲得権コンテンツには、例えばｃＩＤｆ（Ｃｏｎｔｅｎｔ  ＩＤ  Ｆｏｒｕｍ）規格にのっとった形のコンテンツを識別する情報（コンテンツＩＤ）が電子透かしで埋め込まれており、コンテンツの一意性を確認することができる。また、イベント主催者サーバ２からプレミア提供者サーバ３にプレミア獲得ユーザ端末４に送信したコンテンツのコンテンツＩＤが送信される。
【００１３】
次に、プレミア獲得ユーザ端末４からコンテンツを受けたプレミア受取ユーザ端末５がプレミア提供者サーバ３上のプレミア引き換えサイトにアクセスすると（ステップＳ８）、当該サイトがプレミア獲得権コンテンツの送信を要求する（ステップＳ９）。プレミア受取ユーザ端末５がプレミア獲得権コンテンツを送信すると（ステップＳ１０）、プレミア提供者サーバ３が当該サイトにおいてそのコンテンツを受信し、イベント主催者サーバ２から配布されたコンテンツかどうかをコンテンツに埋め込まれた電子透かしのコンテンツＩＤとイベント主催者サーバ２から送信されていたコンテンツＩＤを比較することにより確認する。
【００１４】
プレミア提供者サーバ３上には過去に受信したコンテンツのコンテンツＩＤ及び受信時刻を記録するデータベース３ａが存在する。プレミア受取ユーザ端末５から受信したコンテンツのコンテンツＩＤとイベント主催者サーバ２から配布されたコンテンツのコンテンツＩＤとが合致した場合、プレミア提供者サーバ３はデータベース３ａを検索し、当該コンテンツの以前の受信記録を参照する。
【００１５】
そして、受信記録に当該コンテンツとコンテンツＩＤが合致する記録が存在しない場合（ステップＳ１１）、プレミア提供者サーバ３はプレミア受取ユーザ端末５の使用者をプレミア受取ユーザと認定し、プレミア受取ユーザ端末５にプレミア送付のための送付先等を入力するフォームを表示して情報の入力を求め、入力された情報を記録及び出力する（ステップＳ１２）。同時に、プレミア提供者サーバ３の受信時刻を記録するデータベース３ａに、受信したコンテンツのコンテンツＩＤ及び受信時刻を記録する。
【００１６】
一方、受信記録に当該コンテンツとコンテンツＩＤが合致する記録が存在する場合、プレミア提供者サーバ３はプレミア受取ユーザ端末５の使用者をプレミア受け取りユーザと認定せず終了する。
【００１７】
このような動作により、プレミア提供サーバ３は、受信したコンテンツのＩＤと受信時刻を確認することによってプレミア受取ユーザ端末５及びその使用者を特定することができ、ネットワーク上においてコンテンツを媒介としたプレミア贈呈が可能になる。これにより、プレミア贈呈において、イベント主催者とプレミア提供者、プレミア獲得ユーザとプレミア受取ユーザの間にそれぞれ独立性を持たせることができるという効果が得られる。
なお、上記プレミア獲得ユーザ端末４とプレミア受取ユーザ端末５は同一の端末でもよく、あるいは、別の端末でもよい。
【００１８】
【発明の効果】
以上説明したように、この発明によれば、イベント主催者のサーバがプレミア獲得者の端末へプレミア引換サイトのＵＲＬを通知し、その通知を受けたプレミア獲得者の端末がそのＵＲＬによってプレミア引換サイトへアクセスして認証情報を含むコンテンツを受領し、プレミア獲得者からコンテンツを受けたプレミア受取者が、端末からプレミア提供者のサーバへコンテンツを送信し、プレミア提供者のサーバがコンテンツに含まれる認証情報によってプレミア受領者の適格性を認証し、その認証結果に基づいてプレミア受取者へプレミアを贈呈するための処理を行うので、プレミア贈呈においてイベント主催者とプレミア提供者、プレミア獲得ユーザとプレミア受取人の間に独立性を持たせることができ、イベントの提供者、参加者双方において使い勝手が良いプレミア贈呈方法を提供することができる。
【図面の簡単な説明】
【図１】この発明の一実施形態によるプレミア贈呈方法の処理過程を示す流れ図である。
【図２】同プレミア贈呈方法が実行されるネットワークシステムの構成を示す図である。
【図３】同プレミア贈呈方法の概略を説明するための説明図である。
【符号の説明】
１…ネットワーク
２…イベント主催者サーバ
３…プレミア提供者サーバ
４…プレミア獲得ユーザ端末
５…プレミア受取ユーザ端末
【図１】
2004178279.tif 000003
【図２】
2004178279.tif 000004
【図３】
2004178279.tif 000005